(57)【要約】【課題】本発明は黒板洗浄装置を開示した。【解決手段】黒板箱と、前記黒板箱の中に設置される押出チャンバを含み、前記押出チャンバの中には黒板装置が設けられ、前記黒板箱の中には洗浄チャンバが設けられ、前記洗浄チャンバの中には洗浄装置が設けられ、前記洗浄装置が九十度を回転できる洗浄板を含み、前記洗浄チャンバの中には押出装置が設けられ、本装置は機構が簡単で、使用が便利で、黒板に対する自動洗浄を実現でき、洗浄過程の全般が自動化され、洗浄効率を大いに向上させ、洗浄時間を節約し、また、本装置は洗浄後にチョーク粉を収集でき、チョーク粉が空気中に大量に拡散し、使用者の健康に影響を及ぼすことを防止できる。【選択図】図１
2020168852.tif 000002
【特許請求の範囲】
【請求項１】
黒板箱と、前記黒板箱の中に設置される押出チャンバを含み、前記押出チャンバの中には黒板装置が設けられ、前記黒板箱の中には洗浄チャンバが設けられ、前記洗浄チャンバの中には洗浄装置が設けられ、前記洗浄装置が九十度を回転できる洗浄板を含み、前記洗浄チャンバの中には押出装置が設けられ、前記押出装置が前記洗浄装置と係合できる旋転ラックを含み、前記押出チャンバの中には埃受止め装置が設けられ、前記埃受止め装置が前記押出装置と係合され、前記押出装置が前記洗浄装置を旋転させる時に前記埃受止め装置を押し出すことができ、前記洗浄装置と前記埃受止め装置が作動を終えた後に前記黒板装置を押し出して前記黒板装置と前記洗浄装置とを係合させ、
前記黒板箱の中に設置される駆動チャンバを含み、前記駆動チャンバの中には動力装置が設けられ、前記動力装置の中にはモータが設けられ、前記モータが回転する方向を変更でき、前記動力装置の中には切換カムが設けられ、前記切換カムが旋転すると前記動力装置を移動させて前記動力装置を前記洗浄装置と、前記埃受止め装置とそれぞれ係合することができることを特徴とする黒板洗浄装置。
【請求項２】
前記動力装置は前記駆動チャンバの後壁に設置される駆動スライド溝を含み、前記駆動スライド溝の中にはモータがスライドできるように設けられ、前記モータの前端には前端が前記洗浄チャンバの中まで伸びている動力軸が伝動できるように連結され、前記駆動チャンバの中には前記動力軸に固定的に連結される前記切換カムが設けられ、前記洗浄チャンバの中には前記動力軸の前端に固定的に連結される駆動歯車が設けられ、前記駆動チャンバの前壁には前端が前記洗浄チャンバの中に挿入される回転軸が回転できるように設けられ、前記洗浄チャンバの中には前記回転軸の前端に固定的に連結される回転歯車が設けられることを特徴とする請求項１に記載の黒板洗浄装置。
【請求項３】
前記押出装置は前記押出チャンバの後壁に回転できるように設置される中空回転軸を含み、前記中空回転軸の前端には前記駆動歯車と噛み合う旋転歯車が固定的に設けられ、前記洗浄チャンバの頂壁には押出スライド溝が設けられ、前記押出スライド溝の中には下端が前記押出チャンバの中まで伸びているプッシュレバーが設けられ、前記旋転歯車の中には前端が前記プッシュレバーの後端面と固定的に連結されるリードスクリューがネジ山によって係合され、前記プッシュレバーの上側の前端には旋転ラックが左右対称のように固定的に設けられ、前記プッシュレバーの下側の右端が前記埃受止め装置の中まで伸びていることを特徴とする請求項１に記載の黒板洗浄装置。
【請求項４】
前記埃受止め装置は前記押出チャンバの底壁にスライドできるように設置される固定ブロックを含み、前記固定ブロックの中には緩和チャンバが設けられ、前記緩和チャンバの中にはスライドプッシュ板がスライドできるように設けられ、前記プッシュレバーの下側の右端が前記緩和チャンバの中まで伸びていて前記スライドプッシュ板の後端面と固定的に連結され、前記固定ブロックの前端面には埃受止め箱がスライドできるように設けられ、前記埃受止め箱の中には上方に開口した埃受止めチャンバが設けられることを特徴とする請求項１に記載の黒板洗浄装置。
【請求項５】
前記洗浄装置は前記黒板箱の中に設置される左右対称のバネチャンバを含み、前記バネチャンバの上端が前記洗浄チャンバの中まで伸びており、且つ中、下端が前記押出チャンバの中まで伸びており、前記バネチャンバの中にはリフトブロックがスライドできるように設けられ、前記リフトブロックの相対している端面には前記洗浄チャンバの中まで伸びている旋転軸が回転できるように設けられ、前記洗浄チャンバの中には前記旋転軸に固定的に連結され、且つ前記旋転ラックと噛み合えるドライブギヤが設けられ、前記洗浄チャンバの中には前記旋転軸のうち互いに近接している一端に固定的に連結される固定板が設けられ、左右の前記固定板の間には洗浄板が設けられ、
前記洗浄装置はまた前記洗浄チャンバの右側に設置される伝動チャンバを含み、前記伝動チャンバの後壁には伝動軸が設けられ、前記伝動軸には係合プーリが固定的に設けられ、前記伝動軸の前端には伝動傘歯車が固定的に設けられ、前記伝動チャンバの左壁には左端が前記洗浄チャンバの中まで伸びており、且つ前記洗浄チャンバの左壁と回転できるように係合されるウォームが設けられ、前記伝動チャンバの中には前記ウォームの右端に固定的に連結され、且つ前記伝動傘歯車と係合される受動傘歯車が設けられ、前記洗浄チャンバの頂壁にはベアリングが左右対称で回転できるように設けられ、前記ベアリングには前記ウォームと噛み合うウォームホイールが固定的に設けられ、前記ベアリングの下端にはプルアップ傘歯車が固定的に設けられ、前記洗浄チャンバの中には前記洗浄チャンバの頂壁に回転できるように係合され、且つ下へ壁体の中まで伸びているリール軸が左右対称で設けられ、前記リール軸には引揚リールが固定的に設けられ、前記引揚リールには下端が前記リフトブロックの上端面と固定的に連結される引縄が設けられ、前記リール軸のうち互いに離れている一端には前記プルアップ傘歯車と噛み合う転向傘歯車が固定的に設けられ、
前記洗浄装置はまた前記駆動チャンバの後壁に回転できるように設置される受動軸を含み、前記受動軸の前端が前記回転軸の後端と固定的に連結され、前記受動軸には前記係合プーリと係合される伝動プーリが固定的に設けられ、
有益的には、前記黒板装置は前記黒板箱の中に設置され、且つ前記押出チャンバと前記洗浄チャンバとの間に位置するスライドチャンバを含み、前記スライドチャンバが前方に開口しており、前記スライドチャンバの中には黒板が設けられ、前記黒板の後端面と前記スライドチャンバの後壁との間が復帰バネによって固定的に連結され、前記黒板の後端面の中には緩和溝が設けられ、前記緩和溝の中には後端が前記押出チャンバの中まで伸びている牽引レバーがスライドできるように設けられ、前記牽引レバーと前記緩和溝の前壁との間には緩和バネが固定的に設けられ、前記押出チャンバの中には前記牽引レバーの後端に固定的に連結される受圧板が設けられ、前記バネチャンバのうち相対している壁体の中には経由溝が設けられ、前記黒板の右端面には右端が右側の前記経由溝の中まで伸びている連結レバーが固定的に設けられ、右側の前記経由溝の中には前記連結レバーの上端面に固定的に連結され、且つ上端が右側の前記リフトブロックの下端面と当接する固定レバーが設けられることを特徴とする請求項１に記載の黒板洗浄装置。
【発明の詳細な説明】
【技術分野】
【０００１】
本発明は機械技術分野に関し、具体的には黒板洗浄装置に関する。
【背景技術】
【０００２】
教育において、黒板が欠けない存在である。黒板は一般には木板又はすりガラスなどから作られたものであり、チョーク等の特定な書き工具でその上に字を書ける。伝統的なチョークの主な成分が炭酸カルシウム（石灰石）と硫酸カルシウム（石膏）、またその他少量の金属及び重金属元素例えばリード、マンガン、バリウム等である。チョークに継ぐ改善型の無塵チョークも、伝統的なチョークに油脂又はポリオール類物質を接着剤として添加し、それから比重の大きな原料を添加し、その比重と体積を上げ、飛びにくくなるようにしたものに過ぎなく、実際応用においては効果が顕著でなく、教学過程では相変わらず大量なチョーク粉が飛び散らし、長時間に渡って空気中に漂い、室内空気を厳重に汚染する。また、黒板の使用が終わった後に、洗浄する必要もあり、その洗浄過程の労働強度がかなり大きく、時間の無駄もあるという欠点に対し、現有技術に対して改善を行う必要がある。
【先行技術文献】
【特許文献】
【０００３】
【特許文献１】中国特許出願公開第１０６６２６９１３号明細書
【発明の概要】
【発明が解決しようとする課題】
【０００４】
本発明の目的は黒板洗浄装置を提供し、既存の技術にある上記の欠陥を補うことにある。
【課題を解決するための手段】
【０００５】
本発明の黒板洗浄装置は、黒板箱と、前記黒板箱の中に設置される押出チャンバを含み、前記押出チャンバの中には黒板装置が設けられ、前記黒板箱の中には洗浄チャンバが設けられ、前記洗浄チャンバの中には洗浄装置が設けられ、前記洗浄装置が九十度を回転できる洗浄板を含み、前記洗浄チャンバの中には押出装置が設けられ、前記押出装置が前記洗浄装置と係合できる旋転ラックを含み、前記押出チャンバの中には埃受止め装置が設けられ、前記埃受止め装置が前記押出装置と係合され、前記押出装置が前記洗浄装置を旋転させる時に前記埃受止め装置を押し出すことができ、前記洗浄装置と前記埃受止め装置が作動を終えた後に前記黒板装置を押し出して前記黒板装置と前記洗浄装置とを協働させる。
【０００６】
本発明の黒板洗浄装置は、また前記黒板箱の中に設置される駆動チャンバを含み、前記駆動チャンバの中には動力装置が設けられ、前記動力装置の中にはモータが設けられ、前記モータが回転する方向を変更でき、前記動力装置の中には切換カムが設けられ、前記切換カムが旋転すると前記動力装置を移動させて前記動力装置を前記洗浄装置と、前記埃受止め装置とそれぞれ協働することができる。
【０００７】
優先的には、前記動力装置は前記駆動チャンバの後壁に設置される駆動スライド溝を含み、前記駆動スライド溝の中にはモータがスライドできるように設けられ、前記モータの前端には前端が前記洗浄チャンバの中まで伸びている動力軸が伝動できるように連結され、前記駆動チャンバの中には前記動力軸に固定的に連結される前記切換カムが設けられ、前記洗浄チャンバの中には前記動力軸の前端に固定的に連結される駆動歯車が設けられ、前記駆動チャンバの前壁には前端が前記洗浄チャンバの中に挿入される回転軸が回転できるように設けられ、前記洗浄チャンバの中には前記回転軸の前端に固定的に連結される回転歯車が設けられる。
【０００８】
優先的には、前記押出装置は前記押出チャンバの後壁に回転できるように設置される中空回転軸を含み、前記中空回転軸の前端には前記駆動歯車と噛み合う旋転歯車が固定的に設けられ、前記洗浄チャンバの頂壁には押出スライド溝が設けられ、前記押出スライド溝の中には下端が前記押出チャンバの中まで伸びているプッシュレバーが設けられ、前記旋転歯車の中には前端が前記プッシュレバーの後端面と固定的に連結されるリードスクリューがネジ山によって係合され、前記プッシュレバーの上側の前端には旋転ラックが左右対称のように固定的に設けられ、前記プッシュレバーの下側の右端が前記埃受止め装置の中まで伸びている。
【０００９】
優先的には、前記埃受止め装置は前記押出チャンバの底壁にスライドできるように設置される固定ブロックを含み、前記固定ブロックの中には緩和チャンバが設けられ、前記緩和チャンバの中にはスライドプッシュ板がスライドできるように設けられ、前記プッシュレバーの下側の右端が前記緩和チャンバの中まで伸びていて前記スライドプッシュ板の後端面と固定的に連結され、前記固定ブロックの前端面には埃受止め箱がスライドできるように設けられ、前記埃受止め箱の中には上方に開口した埃受止めチャンバが設けられる。
【００１０】
前記洗浄装置は前記黒板箱の中に設置される左右対称のバネチャンバを含み、前記バネチャンバの上端が前記洗浄チャンバの中まで伸びており、且つ中、下端が前記押出チャンバの中まで伸びており、前記バネチャンバの中にはリフトブロックがスライドできるように設けられ、前記リフトブロックの相対している端面には前記洗浄チャンバの中まで伸びている旋転軸が回転できるように設けられ、前記洗浄チャンバの中には前記旋転軸に固定的に連結され、且つ前記旋転ラックと噛み合えるドライブギヤが設けられ、前記洗浄チャンバの中には前記旋転軸のうち互いに近接している一端に固定的に連結される固定板が設けられ、左右の前記固定板の間には洗浄板が設けられる。
【００１１】
前記洗浄装置はまた前記洗浄チャンバの右側に設置される伝動チャンバを含み、前記伝動チャンバの後壁には伝動軸が設けられ、前記伝動軸には係合プーリが固定的に設けられ、前記伝動軸の前端には伝動傘歯車が固定的に設けられ、前記伝動チャンバの左壁には左端が前記洗浄チャンバの中まで伸びており、且つ前記洗浄チャンバの左壁と回転できるように係合されるウォームが設けられ、前記伝動チャンバの中には前記ウォームの右端に固定的に連結され、且つ前記伝動傘歯車と係合される受動傘歯車が設けられ、前記洗浄チャンバの頂壁にはベアリングが左右対称で回転できるように設けられ、前記ベアリングには前記ウォームと噛み合うウォームホイールが固定的に設けられ、前記ベアリングの下端にはプルアップ傘歯車が固定的に設けられ、前記洗浄チャンバの中には前記洗浄チャンバの頂壁に回転できるように係合され、且つ下へ壁体の中まで伸びているリール軸が左右対称で設けられ、前記リール軸には引揚リールが固定的に設けられ、前記引揚リールには下端が前記リフトブロックの上端面と固定的に連結される引縄が設けられ、前記リール軸のうち互いに離れている一端には前記プルアップ傘歯車と噛み合う転向傘歯車が固定的に設けられる。
【００１２】
優先的には、前記洗浄装置はまた前記駆動チャンバの後壁に回転できるように設置される受動軸を含み、前記受動軸の前端が前記回転軸の後端と固定的に連結され、前記受動軸には前記係合プーリと係合される伝動プーリが固定的に設けられる。
【００１３】
優先的には、前記黒板装置は前記黒板箱の中に設置され、且つ前記押出チャンバと前記洗浄チャンバとの間に位置するスライドチャンバを含み、前記スライドチャンバが前方に開口しており、前記スライドチャンバの中には黒板が設けられ、前記黒板の後端面と前記スライドチャンバの後壁との間が復帰バネによって固定的に連結され、前記黒板の後端面の中には緩和溝が設けられ、前記緩和溝の中には後端が前記押出チャンバの中まで伸びている牽引レバーがスライドできるように設けられ、前記牽引レバーと前記緩和溝の前壁との間には緩和バネが固定的に設けられ、前記押出チャンバの中には前記牽引レバーの後端に固定的に連結される受圧板が設けられ、前記バネチャンバのうち相対している壁体の中には経由溝が設けられ、前記黒板の右端面には右端が右側の前記経由溝の中まで伸びている連結レバーが固定的に設けられ、右側の前記経由溝の中には前記連結レバーの上端面に固定的に連結され、且つ上端が右側の前記リフトブロックの下端面と当接する固定レバーが設けられる。
【発明の効果】
【００１４】
本装置は機構が簡単で、使用が便利で、黒板に対する自動洗浄を実現でき、洗浄過程の全般が自動化され、洗浄効率を大いに向上させ、洗浄時間を節約し、また、本装置は洗浄後にチョーク粉を収集でき、チョーク粉が空気中に大量に拡散し、使用者に健康に影響を及ぼすことを防止できる。本装置において発生したすべての動作が機械機構により実現され、安定性を高める上にコストも低く、宣伝価値を有する。
【図面の簡単な説明】
【００１５】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１６】
【図１】図１は本発明の黒板洗浄装置の全体構造概略図である。
【図２】図２は図１のＡ−Ａの構造概略図である。
【図３】図３は図１のＢ−Ｂの構造概略図である。
【図４】図２は図１のＣ−Ｃの構造概略図である。
【発明を実施するための形態】
【００１７】
本発明書に開示した全ての特徴、或いは開示した全ての方法、過程中のステップは、互いに排斥する特徴或いはステップ以外に、いかなる方式で組み合わせることができる。
【００１８】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１９】
図１〜４が示すように、本発明の黒板洗浄装置は、黒板箱１０と、前記黒板箱１０の中に設置される押出チャンバ３０を含み、前記押出チャンバ３０の中には黒板装置が設けられ、前記黒板箱１０の中には洗浄チャンバ１１が設けられ、前記洗浄チャンバ１１の中には洗浄装置が設けられ、前記洗浄装置が九十度を回転できる洗浄板２０を含み、前記洗浄チャンバ１１の中には押出装置が設けられ、前記押出装置が前記洗浄装置と係合できる旋転ラック３７を含み、前記押出チャンバ３０の中には埃受止め装置が設けられ、前記埃受止め装置が前記押出装置と係合され、前記押出装置が前記洗浄装置を旋転させる時に前記埃受止め装置を押し出すことができ、前記洗浄装置と前記埃受止め装置が作動を終えた後に前記黒板装置を押し出して前記黒板装置と前記洗浄装置とを協働させる。
【００２０】
本発明の黒板洗浄装置は、また前記黒板箱１０の中に設置される駆動チャンバ６１を含み、前記駆動チャンバ６１の中には動力装置が設けられ、前記動力装置の中にはモータ５８が設けられ、前記モータ５８が回転する方向を変更でき、前記動力装置の中には切換カム４６が設けられ、前記切換カム４６が旋転すると前記動力装置を移動させて前記動力装置を前記洗浄装置と、前記埃受止め装置とそれぞれ協働することができる。
【００２１】
有益的には、前記動力装置は前記駆動チャンバ６１の後壁に設置される駆動スライド溝５９を含み、前記駆動スライド溝５９の中にはモータ５８がスライドできるように設けられ、前記モータ５８の前端には前端が前記洗浄チャンバ１１の中まで伸びている動力軸４５が伝動できるように連結され、前記駆動チャンバ６１の中には前記動力軸４５に固定的に連結される前記切換カム４６が設けられ、前記洗浄チャンバ１１の中には前記動力軸４５の前端に固定的に連結される駆動歯車４４が設けられ、前記駆動チャンバ６１の前壁には前端が前記洗浄チャンバ１１の中に挿入される回転軸３８が回転できるように設けられ、前記洗浄チャンバ１１の中には前記回転軸３８の前端に固定的に連結される回転歯車４３が設けられる。
【００２２】
有益的には、前記押出装置は前記押出チャンバ３０の後壁に回転できるように設置される中空回転軸５６を含み、前記中空回転軸５６の前端には前記駆動歯車４４と噛み合う旋転歯車４７が固定的に設けられ、前記洗浄チャンバ１１の頂壁には押出スライド溝４２が設けられ、前記押出スライド溝４２の中には下端が前記押出チャンバ３０の中まで伸びているプッシュレバー５５が設けられ、前記旋転歯車４７の中には前端が前記プッシュレバー５５の後端面と固定的に連結されるリードスクリュー５７がネジ山によって係合され、前記プッシュレバー５５の上側の前端には旋転ラック３７が左右対称のように固定的に設けられ、前記プッシュレバー５５の下側の右端が前記埃受止め装置の中まで伸びている。
【００２３】
有益的には、前記埃受止め装置は前記押出チャンバ３０の底壁にスライドできるように設置される固定ブロック４９を含み、前記固定ブロック４９の中には緩和チャンバ５４が設けられ、前記緩和チャンバ５４の中にはスライドプッシュ板４８がスライドできるように設けられ、前記プッシュレバー５５の下側の右端が前記緩和チャンバ５４の中まで伸びていて前記スライドプッシュ板４８の後端面と固定的に連結され、前記固定ブロック４９の前端面には埃受止め箱３４がスライドできるように設けられ、前記埃受止め箱３４の中には上方に開口した埃受止めチャンバ３３が設けられる。
【００２４】
有益的には、前記洗浄装置は前記黒板箱１０の中に設置される左右対称のバネチャンバ２８を含み、前記バネチャンバ２８の上端が前記洗浄チャンバ１１の中まで伸びており、且つ中、下端が前記押出チャンバ３０の中まで伸びており、前記バネチャンバ２８の中にはリフトブロック２３がスライドできるように設けられ、前記リフトブロック２３の相対している端面には前記洗浄チャンバ１１の中まで伸びている旋転軸２１が回転できるように設けられ、前記洗浄チャンバ１１の中には前記旋転軸２１に固定的に連結され、且つ前記旋転ラック３７と噛み合えるドライブギヤ２２が設けられ、前記洗浄チャンバ１１の中には前記旋転軸２１のうち互いに近接している一端に固定的に連結される固定板１９が設けられ、左右の前記固定板１９の間には洗浄板２０が設けられる。
【００２５】
前記洗浄装置はまた前記洗浄チャンバ１１の右側に設置される伝動チャンバ２７を含み、前記伝動チャンバ２７の後壁には伝動軸２５が設けられ、前記伝動軸２５には係合プーリ６２が固定的に設けられ、前記伝動軸２５の前端には伝動傘歯車２６が固定的に設けられ、前記伝動チャンバ２７の左壁には左端が前記洗浄チャンバ１１の中まで伸びており、且つ前記洗浄チャンバ１１の左壁と回転できるように係合されるウォーム１６が設けられ、前記伝動チャンバ２７の中には前記ウォーム１６の右端に固定的に連結され、且つ前記伝動傘歯車２６と係合される受動傘歯車２４が設けられ、前記洗浄チャンバ１１の頂壁にはベアリング１５が左右対称で回転できるように設けられ、前記ベアリング１５には前記ウォーム１６と噛み合うウォームホイール１４が固定的に設けられ、前記ベアリング１５の下端にはプルアップ傘歯車１３が固定的に設けられ、前記洗浄チャンバ１１の中には前記洗浄チャンバ１１の頂壁に回転できるように係合され、且つ下へ壁体の中まで伸びているリール軸１８が左右対称で設けられ、前記リール軸１８には引揚リール１７が固定的に設けられ、前記引揚リール１７には下端が前記リフトブロック２３の上端面と固定的に連結される引縄７０が設けられ、前記リール軸１８のうち互いに離れている一端には前記プルアップ傘歯車１３と噛み合う転向傘歯車１２が固定的に設けられる。
【００２６】
前記洗浄装置はまた前記駆動チャンバ６１の後壁に回転できるように設置される受動軸６５を含み、前記受動軸６５の前端が前記回転軸３８の後端と固定的に連結され、前記受動軸６５には前記係合プーリ６２と係合される伝動プーリ６０が固定的に設けられる。
【００２７】
有益的には、前記黒板装置は前記黒板箱１０の中に設置され、且つ前記押出チャンバ３０と前記洗浄チャンバ１１との間に位置するスライドチャンバ５０を含み、前記スライドチャンバ５０が前方に開口しており、前記スライドチャンバ５０の中には黒板３２が設けられ、前記黒板３２の後端面と前記スライドチャンバ５０の後壁との間が復帰バネ５１によって固定的に連結され、前記黒板３２の後端面の中には緩和溝６７が設けられ、前記緩和溝６７の中には後端が前記押出チャンバ３０の中まで伸びている牽引レバー５２がスライドできるように設けられ、前記牽引レバー５２と前記緩和溝６７の前壁との間には緩和バネ６８が固定的に設けられ、前記押出チャンバ３０の中には前記牽引レバー５２の後端に固定的に連結される受圧板５３が設けられ、前記バネチャンバ２８のうち相対している壁体の中には経由溝３６が設けられ、前記黒板３２の右端面には右端が右側の前記経由溝３６の中まで伸びている連結レバー６４が固定的に設けられ、右側の前記経由溝３６の中には前記連結レバー６４の上端面に固定的に連結され、且つ上端が右側の前記リフトブロック２３の下端面と当接する固定レバー６３が設けられる。
【００２８】
下記には、付図１〜４及び上記の記載に基づいて本願発明の黒板洗浄装置を詳しく説明する：
【００２９】
初期状態では、前記駆動歯車４４が前記旋転歯車４７と噛合、前記旋転ラック３７が前記ドライブギヤ２２と噛み合っていなく、前記スライドプッシュ板４８が前記緩和チャンバ５４において後側に位置する。
【００３０】
洗浄を始める時、前記モータ５８が起動して回転して前記動力軸４５を通じて前記切換カム４６を駆動して旋転させ、前記動力軸４５が前記駆動歯車４４を駆動して回転させ、前記駆動歯車４４が前記旋転歯車４７を駆動して回転させ、前記旋転歯車４７が回転して前記リードスクリュー５７を前へ運動させ、前記リードスクリュー５７が前記プッシュレバー５５を駆動して前へ運動させ、前記プッシュレバー５５が前記旋転ラック３７を駆動して前へ運動させ、前記旋転ラック３７が前へ運動して前記ドライブギヤ２２と噛み合って前記ドライブギヤ２２を駆動して回転させ、前記ドライブギヤ２２が前記旋転軸２１を駆動して回転させ、これにより前記固定板１９を前へ回転させて前記洗浄板２０を水平状態から鉛直状態になるように運動させて前へ伸び出し、前記洗浄板２０が指定の位置に至った後、前記旋転ラック３７が前記ドライブギヤ２２との係合状態から離脱し、前記プッシュレバー５５が前へ運動して前記受圧板５３と、前記プッシュレバー５２とを通じて前記黒板３２を前へ運動させて前記洗浄板２０の後端面と当接させ、前記黒板３２が前記連結レバー６４を通じて前記固定レバー６３を駆動して前へ運動させて右側の前記リフトブロック２３と離脱させ、前記プッシュレバー５５が継続して前へ運動して前記スライドプッシュ板４８を前へ押し動かし、前記スライドプッシュ板４８が前記緩和チャンバ５４において最前端まで押し動かされた時に前記固定ブロック４９を押し動かして前へ運動させ、前記スライドプッシュ板４８が前記埃受止め箱３４を押し動かして前へ運動させて埃を受け止め、この時前記切換カム４６が回転して前記動力軸４５を駆動して上へ運動させ、これにより前記モータ５８と前記駆動歯車４４とを駆動して上へ運動させ、これにより前記駆動歯車４４と前記回転歯車４３を駆動して噛み合わせ、これにより前記回転軸３８と前記受動軸６５を駆動して回転させ、これにより前記伝動プーリ６０を駆動して回転させ、これにより前記係合プーリ６２を駆動して回転させ、これにより前記伝動軸２５を駆動して回転させ、前記伝動軸２５が前記伝動傘歯車２６を駆動して回転させ、前記伝動傘歯車２６が前記受動傘歯車２４を通じて前記ウォーム１６を駆動して回転させ、前記ウォーム１６が前記ウォームホイール１４と、前記ベアリング１５とを通じて前記プルアップ傘歯車１３を駆動して回転させ、前記プルアップ傘歯車１３が前記転向傘歯車１２を駆動して回転させ、前記転向傘歯車１２が前記引揚リール１７を駆動して回転させ、これにより糸を繰り出し、これにより前記リフトブロック２３が前記引張バネ２９に引かれて下降し、これにより洗浄を完成し、埃を前記埃受止めチャンバ３３の中まで洗浄する。
【００３１】
復帰する時、前記モータ５８が反方向に回転し、前記駆動歯車４４が前記回転歯車４３を駆動して回転させ、前記回転歯車４３が前記回転軸３８と前記受動軸６５を駆動して回転させ、前記受動軸６５が前記伝動プーリ６０を駆動して回転させ、前記伝動プーリ６０が前記係合プーリ６２を駆動して回転させ、前記係合プーリ６２が前記伝動軸２５を駆動して回転させ、前記伝動軸２５が前記伝動傘歯車２６を駆動して回転させ、前記伝動傘歯車２６が前記受動傘歯車２４を通じて前記ウォーム１６を駆動して回転させ、前記ウォーム１６が前記ウォームホイール１４と、前記ベアリング１５とを通じて前記プルアップ傘歯車１３を駆動して回転させ、前記プルアップ傘歯車１３が前記転向傘歯車１２を駆動して回転させ、前記転向傘歯車１２が前記引揚リール１７を駆動して回転させて糸を繰り入れて前記リフトブロック２３を復帰させ、この時前記切換カム４６が再び切り換えて前記駆動歯車４４と前記旋転歯車４７を噛み合わせて前記押出装置を復帰させて前記黒板装置と、前記洗浄装置と、前記埃受止め装置とを復帰させる。
【００３２】
上記のごとく、本装置は機構が簡単で、使用が便利で、黒板に対する自動洗浄を実現でき、洗浄過程の全般が自動化され、洗浄効率を大いに向上させ、洗浄時間を節約し、また、本装置は洗浄後にチョーク粉を収集でき、チョーク粉が空気中に大量に拡散し、使用者に健康に影響を及ぼすことを防止できる。本装置において発生したすべての動作が機械機構により実現され、安定性を高める上にコストも低く、宣伝価値を有する。
【００３３】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020168852.tif 000003
【図２】
2020168852.tif 000004
【図３】
2020168852.tif 000005
【図４】
2020168852.tif 000006
【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
黒板箱と、前記黒板箱の中に設置される押出チャンバを含み、前記押出チャンバの中には黒板装置が設けられ、前記黒板箱の中には洗浄チャンバが設けられ、前記洗浄チャンバの中には洗浄装置が設けられ、前記洗浄装置が洗浄板を含み、前記洗浄チャンバの中には押出装置が設けられ、前記押出装置が前記洗浄装置と係合できる旋転ラックを含み、前記押出チャンバの中には埃受止め装置が設けられ、前記埃受止め装置が前記押出装置と係合され、前記押出装置が前記洗浄装置を旋転させる時に前記埃受止め装置を押し出すことができ、
前記黒板箱の中に設置される駆動チャンバを含み、前記駆動チャンバの中には動力装置が設けられ、前記動力装置の中にはモータが設けられ、前記モータが回転する方向を変更でき、前記動力装置の中には切換カムが設けられ、前記切換カムが旋転すると前記動力装置を移動させて前記動力装置を前記洗浄装置と係合することができることを特徴とする黒板洗浄装置。
【請求項２】
前記動力装置は前記駆動チャンバの後壁に設置される駆動スライド溝を含み、前記駆動スライド溝の中にはモータがスライドできるように設けられ、前記モータの前端には前端が前記洗浄チャンバの中まで伸びている動力軸が伝動できるように連結され、前記駆動チャンバの中には前記動力軸に固定的に連結される前記切換カムが設けられ、前記洗浄チャンバの中には前記動力軸の前端に固定的に連結される駆動歯車が設けられ、前記駆動チャンバの前壁には前端が前記洗浄チャンバの中に挿入される第一回転軸が回転できるように設けられ、前記洗浄チャンバの中には前記第一回転軸の前端に固定的に連結される回転歯車が設けられることを特徴とする請求項１に記載の黒板洗浄装置。
【請求項３】
前記押出装置は前記押出チャンバの後壁に回転できるように設置される中空第一回転軸を含み、前記中空第一回転軸の前端には前記駆動歯車と噛み合う旋転歯車が固定的に設けられ、前記洗浄チャンバの頂壁には押出スライド溝が設けられ、前記押出スライド溝の中には下端が前記押出チャンバの中まで伸びているプッシュレバーが設けられ、前記旋転歯車の中には前端が前記プッシュレバーの後端面と固定的に連結されるリードスクリューがネジ山によって係合され、前記プッシュレバーの上側の前端には旋転ラックが左右対称のように固定的に設けられ、前記プッシュレバーの下側の右端が前記埃受止め装置の中まで伸びていることを特徴とする請求項１に記載の黒板洗浄装置。
【請求項４】
前記埃受止め装置は前記押出チャンバの底壁にスライドできるように設置される固定ブロックを含み、前記固定ブロックの中には緩和チャンバが設けられ、前記緩和チャンバの中にはスライドプッシュ板がスライドできるように設けられ、前記プッシュレバーの下側の右端が前記緩和チャンバの中まで伸びていて前記スライドプッシュ板の後端面と固定的に連結され、前記固定ブロックの前端面には埃受止め箱がスライドできるように設けられ、前記埃受止め箱の中には上方に開口した埃受止めチャンバが設けられることを特徴とする請求項１に記載の黒板洗浄装置。
【請求項５】
前記洗浄装置は前記黒板箱の中に設置される左右対称のバネチャンバを含み、前記バネチャンバの上端が前記洗浄チャンバの中まで伸びており、且つ中、下端が前記押出チャンバの中まで伸びており、前記バネチャンバの中にはリフトブロックがスライドできるように設けられ、前記リフトブロックの相対している端面には前記洗浄チャンバの中まで伸びている旋転軸が回転できるように設けられ、前記洗浄チャンバの中には前記旋転軸に固定的に連結され、且つ前記旋転ラックと噛み合えるドライブギヤが設けられ、前記洗浄チャンバの中には前記旋転軸のうち互いに近接している一端に固定的に連結される固定板が設けられ、左右の前記固定板の間には洗浄板が設けられ、
前記洗浄装置はまた前記洗浄チャンバの右側に設置される伝動チャンバを含み、前記伝動チャンバの後壁には伝動軸が設けられ、前記伝動軸には係合プーリが固定的に設けられ、前記伝動軸の前端には伝動傘歯車が固定的に設けられ、前記伝動チャンバの左壁には左端が前記洗浄チャンバの中まで伸びており、且つ前記洗浄チャンバの左壁と回転できるように係合されるウォームが設けられ、前記伝動チャンバの中には前記ウォームの右端に固定的に連結され、且つ前記伝動傘歯車と係合される受動傘歯車が設けられ、前記洗浄チャンバの頂壁には第二回転軸が左右対称で回転できるように設けられ、前記第二回転軸には前記ウォームと噛み合うウォームホイールが固定的に設けられ、前記第二回転軸の下端にはプルアップ傘歯車が固定的に設けられ、前記洗浄チャンバの中には前記洗浄チャンバの頂壁に回転できるように係合され、且つ下へ壁体の中まで伸びているリール軸が左右対称で設けられ、前記リール軸には引揚リールが固定的に設けられ、前記引揚リールには下端が前記リフトブロックの上端面と固定的に連結される引縄が設けられ、前記リール軸のうち互いに離れている一端には前記プルアップ傘歯車と噛み合う転向傘歯車が固定的に設けられ、
前記洗浄装置はまた前記駆動チャンバの後壁に回転できるように設置される受動軸を含み、前記受動軸の前端が前記第一回転軸の後端と固定的に連結され、前記受動軸には前記係合プーリと係合される伝動プーリが固定的に設けられ、
有益的には、前記黒板装置は前記黒板箱の中に設置され、且つ前記押出チャンバと前記洗浄チャンバとの間に位置するスライドチャンバを含み、前記スライドチャンバが前方に開口しており、前記スライドチャンバの中には黒板が設けられ、前記黒板の後端面と前記スライドチャンバの後壁との間が復帰バネによって固定的に連結され、前記黒板の後端面の中には緩和溝が設けられ、前記緩和溝の中には後端が前記押出チャンバの中まで伸びている牽引レバーがスライドできるように設けられ、前記牽引レバーと前記緩和溝の前壁との間には緩和バネが固定的に設けられ、前記押出チャンバの中には前記牽引レバーの後端に固定的に連結される受圧板が設けられ、前記バネチャンバのうち相対している壁体の中には経由溝が設けられ、前記黒板の右端面には右端が右側の前記経由溝の中まで伸びている連結レバーが固定的に設けられ、右側の前記経由溝の中には前記連結レバーの上端面に固定的に連結され、且つ上端が右側の前記リフトブロックの下端面と当接する固定レバーが設けられることを特徴とする請求項１に記載の黒板洗浄装置。
【手続補正２】
【補正対象書類名】明細書
【補正対象項目名】全文
【補正方法】変更
【補正の内容】
【発明の詳細な説明】
【技術分野】
【０００１】
本発明は機械技術分野に関し、具体的には黒板洗浄装置に関する。
【背景技術】
【０００２】
教育において、黒板が欠けない存在である。黒板は一般には木板又はすりガラスなどから作られたものであり、チョーク等の特定な書き工具でその上に字を書ける。伝統的なチョークの主な成分が炭酸カルシウム（石灰石）と硫酸カルシウム（石膏）、またその他少量の金属及び重金属元素例えばリード、マンガン、バリウム等である。チョークに継ぐ改善型の無塵チョークも、伝統的なチョークに油脂又はポリオール類物質を接着剤として添加し、それから比重の大きな原料を添加し、その比重と体積を上げ、飛びにくくなるようにしたものに過ぎなく、実際応用においては効果が顕著でなく、教学過程では相変わらず大量なチョーク粉が飛び散らし、長時間に渡って空気中に漂い、室内空気を厳重に汚染する。また、黒板の使用が終わった後に、洗浄する必要もあり、その洗浄過程の労働強度がかなり大きく、時間の無駄もあるという欠点に対し、現有技術に対して改善を行う必要がある。
【先行技術文献】
【特許文献】
【０００３】
【特許文献１】中国特許出願公開第１０６６２６９１３号明細書
【発明の概要】
【発明が解決しようとする課題】
【０００４】
本発明の目的は黒板洗浄装置を提供し、既存の技術にある上記の欠陥を補うことにある。
【課題を解決するための手段】
【０００５】
本発明の黒板洗浄装置は、黒板箱と、前記黒板箱の中に設置される押出チャンバを含み、前記押出チャンバの中には黒板装置が設けられ、前記黒板箱の中には洗浄チャンバが設けられ、前記洗浄チャンバの中には洗浄装置が設けられ、前記洗浄装置が洗浄板を含み、前記洗浄チャンバの中には押出装置が設けられ、前記押出装置が前記洗浄装置と係合できる旋転ラックを含み、前記押出チャンバの中には埃受止め装置が設けられ、前記埃受止め装置が前記押出装置と係合され、前記押出装置が前記洗浄装置を旋転させる時に前記埃受止め装置を押し出すことができる。
【０００６】
本発明の黒板洗浄装置は、また前記黒板箱の中に設置される駆動チャンバを含み、前記駆動チャンバの中には動力装置が設けられ、前記動力装置の中にはモータが設けられ、前記モータが回転する方向を変更でき、前記動力装置の中には切換カムが設けられ、前記切換カムが旋転すると前記動力装置を移動させて前記動力装置を前記洗浄装置と協働することができる。
【０００７】
優先的には、前記動力装置は前記駆動チャンバの後壁に設置される駆動スライド溝を含み、前記駆動スライド溝の中にはモータがスライドできるように設けられ、前記モータの前端には前端が前記洗浄チャンバの中まで伸びている動力軸が伝動できるように連結され、前記駆動チャンバの中には前記動力軸に固定的に連結される前記切換カムが設けられ、前記洗浄チャンバの中には前記動力軸の前端に固定的に連結される駆動歯車が設けられ、前記駆動チャンバの前壁には前端が前記洗浄チャンバの中に挿入される第一回転軸が回転できるように設けられ、前記洗浄チャンバの中には前記第一回転軸の前端に固定的に連結される回転歯車が設けられる。
【０００８】
優先的には、前記押出装置は前記押出チャンバの後壁に回転できるように設置される中空第一回転軸を含み、前記中空第一回転軸の前端には前記駆動歯車と噛み合う旋転歯車が固定的に設けられ、前記洗浄チャンバの頂壁には押出スライド溝が設けられ、前記押出スライド溝の中には下端が前記押出チャンバの中まで伸びているプッシュレバーが設けられ、前記旋転歯車の中には前端が前記プッシュレバーの後端面と固定的に連結されるリードスクリューがネジ山によって係合され、前記プッシュレバーの上側の前端には旋転ラックが左右対称のように固定的に設けられ、前記プッシュレバーの下側の右端が前記埃受止め装置の中まで伸びている。
【０００９】
優先的には、前記埃受止め装置は前記押出チャンバの底壁にスライドできるように設置される固定ブロックを含み、前記固定ブロックの中には緩和チャンバが設けられ、前記緩和チャンバの中にはスライドプッシュ板がスライドできるように設けられ、前記プッシュレバーの下側の右端が前記緩和チャンバの中まで伸びていて前記スライドプッシュ板の後端面と固定的に連結され、前記固定ブロックの前端面には埃受止め箱がスライドできるように設けられ、前記埃受止め箱の中には上方に開口した埃受止めチャンバが設けられる。
【００１０】
前記洗浄装置は前記黒板箱の中に設置される左右対称のバネチャンバを含み、前記バネチャンバの上端が前記洗浄チャンバの中まで伸びており、且つ中、下端が前記押出チャンバの中まで伸びており、前記バネチャンバの中にはリフトブロックがスライドできるように設けられ、前記リフトブロックの相対している端面には前記洗浄チャンバの中まで伸びている旋転軸が回転できるように設けられ、前記洗浄チャンバの中には前記旋転軸に固定的に連結され、且つ前記旋転ラックと噛み合えるドライブギヤが設けられ、前記洗浄チャンバの中には前記旋転軸のうち互いに近接している一端に固定的に連結される固定板が設けられ、左右の前記固定板の間には洗浄板が設けられる。
【００１１】
前記洗浄装置はまた前記洗浄チャンバの右側に設置される伝動チャンバを含み、前記伝動チャンバの後壁には伝動軸が設けられ、前記伝動軸には係合プーリが固定的に設けられ、前記伝動軸の前端には伝動傘歯車が固定的に設けられ、前記伝動チャンバの左壁には左端が前記洗浄チャンバの中まで伸びており、且つ前記洗浄チャンバの左壁と回転できるように係合されるウォームが設けられ、前記伝動チャンバの中には前記ウォームの右端に固定的に連結され、且つ前記伝動傘歯車と係合される受動傘歯車が設けられ、前記洗浄チャンバの頂壁には第二回転軸が左右対称で回転できるように設けられ、前記第二回転軸には前記ウォームと噛み合うウォームホイールが固定的に設けられ、前記第二回転軸の下端にはプルアップ傘歯車が固定的に設けられ、前記洗浄チャンバの中には前記洗浄チャンバの頂壁に回転できるように係合され、且つ下へ壁体の中まで伸びているリール軸が左右対称で設けられ、前記リール軸には引揚リールが固定的に設けられ、前記引揚リールには下端が前記リフトブロックの上端面と固定的に連結される引縄が設けられ、前記リール軸のうち互いに離れている一端には前記プルアップ傘歯車と噛み合う転向傘歯車が固定的に設けられる。
【００１２】
優先的には、前記洗浄装置はまた前記駆動チャンバの後壁に回転できるように設置される受動軸を含み、前記受動軸の前端が前記第一回転軸の後端と固定的に連結され、前記受動軸には前記係合プーリと係合される伝動プーリが固定的に設けられる。
【００１３】
優先的には、前記黒板装置は前記黒板箱の中に設置され、且つ前記押出チャンバと前記洗浄チャンバとの間に位置するスライドチャンバを含み、前記スライドチャンバが前方に開口しており、前記スライドチャンバの中には黒板が設けられ、前記黒板の後端面と前記スライドチャンバの後壁との間が復帰バネによって固定的に連結され、前記黒板の後端面の中には緩和溝が設けられ、前記緩和溝の中には後端が前記押出チャンバの中まで伸びている牽引レバーがスライドできるように設けられ、前記牽引レバーと前記緩和溝の前壁との間には緩和バネが固定的に設けられ、前記押出チャンバの中には前記牽引レバーの後端に固定的に連結される受圧板が設けられ、前記バネチャンバのうち相対している壁体の中には経由溝が設けられ、前記黒板の右端面には右端が右側の前記経由溝の中まで伸びている連結レバーが固定的に設けられ、右側の前記経由溝の中には前記連結レバーの上端面に固定的に連結され、且つ上端が右側の前記リフトブロックの下端面と当接する固定レバーが設けられる。
【発明の効果】
【００１４】
本装置は機構が簡単で、使用が便利で、黒板に対する自動洗浄を実現でき、洗浄過程の全般が自動化され、洗浄効率を大いに向上させ、洗浄時間を節約し、また、本装置は洗浄後にチョーク粉を収集でき、チョーク粉が空気中に大量に拡散し、使用者に健康に影響を及ぼすことを防止できる。本装置において発生したすべての動作が機械機構により実現され、安定性を高める上にコストも低く、宣伝価値を有する。
【図面の簡単な説明】
【００１５】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１６】
【図１】図１は本発明の黒板洗浄装置の全体構造概略図である。
【図２】図２は図１のＡ−Ａの構造概略図である。
【図３】図３は図１のＢ−Ｂの構造概略図である。
【図４】図２は図１のＣ−Ｃの構造概略図である。
【発明を実施するための形態】
【００１７】
本発明書に開示した全ての特徴、或いは開示した全ての方法、過程中のステップは、互いに排斥する特徴或いはステップ以外に、いかなる方式で組み合わせることができる。
【００１８】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１９】
図１〜４が示すように、本発明の黒板洗浄装置は、黒板箱１０と、前記黒板箱１０の中に設置される押出チャンバ３０を含み、前記押出チャンバ３０の中には黒板装置が設けられ、前記黒板箱１０の中には洗浄チャンバ１１が設けられ、前記洗浄チャンバ１１の中には洗浄装置が設けられ、前記洗浄装置が洗浄板２０を含み、前記洗浄チャンバ１１の中には押出装置が設けられ、前記押出装置が前記洗浄装置と係合できる旋転ラック３７を含み、前記押出チャンバ３０の中には埃受止め装置が設けられ、前記埃受止め装置が前記押出装置と係合され、前記押出装置が前記洗浄装置を旋転させる時に前記埃受止め装置を押し出すことができる。
【００２０】
本発明の黒板洗浄装置は、また前記黒板箱１０の中に設置される駆動チャンバ６１を含み、前記駆動チャンバ６１の中には動力装置が設けられ、前記動力装置の中にはモータ５８が設けられ、前記モータ５８が回転する方向を変更でき、前記動力装置の中には切換カム４６が設けられ、前記切換カム４６が旋転すると前記動力装置を移動させて前記動力装置を前記洗浄装置と協働することができる。
【００２１】
有益的には、前記動力装置は前記駆動チャンバ６１の後壁に設置される駆動スライド溝５９を含み、前記駆動スライド溝５９の中にはモータ５８がスライドできるように設けられ、前記モータ５８の前端には前端が前記洗浄チャンバ１１の中まで伸びている動力軸４５が伝動できるように連結され、前記駆動チャンバ６１の中には前記動力軸４５に固定的に連結される前記切換カム４６が設けられ、前記洗浄チャンバ１１の中には前記動力軸４５の前端に固定的に連結される駆動歯車４４が設けられ、前記駆動チャンバ６１の前壁には前端が前記洗浄チャンバ１１の中に挿入される第一回転軸３８が回転できるように設けられ、前記洗浄チャンバ１１の中には前記第一回転軸３８の前端に固定的に連結される回転歯車４３が設けられる。
【００２２】
有益的には、前記押出装置は前記押出チャンバ３０の後壁に回転できるように設置される中空第一回転軸５６を含み、前記中空第一回転軸５６の前端には前記駆動歯車４４と噛み合う旋転歯車４７が固定的に設けられ、前記洗浄チャンバ１１の頂壁には押出スライド溝４２が設けられ、前記押出スライド溝４２の中には下端が前記押出チャンバ３０の中まで伸びているプッシュレバー５５が設けられ、前記旋転歯車４７の中には前端が前記プッシュレバー５５の後端面と固定的に連結されるリードスクリュー５７がネジ山によって係合され、前記プッシュレバー５５の上側の前端には旋転ラック３７が左右対称のように固定的に設けられ、前記プッシュレバー５５の下側の右端が前記埃受止め装置の中まで伸びている。
【００２３】
有益的には、前記埃受止め装置は前記押出チャンバ３０の底壁にスライドできるように設置される固定ブロック４９を含み、前記固定ブロック４９の中には緩和チャンバ５４が設けられ、前記緩和チャンバ５４の中にはスライドプッシュ板４８がスライドできるように設けられ、前記プッシュレバー５５の下側の右端が前記緩和チャンバ５４の中まで伸びていて前記スライドプッシュ板４８の後端面と固定的に連結され、前記固定ブロック４９の前端面には埃受止め箱３４がスライドできるように設けられ、前記埃受止め箱３４の中には上方に開口した埃受止めチャンバ３３が設けられる。
【００２４】
有益的には、前記洗浄装置は前記黒板箱１０の中に設置される左右対称のバネチャンバ２８を含み、前記バネチャンバ２８の上端が前記洗浄チャンバ１１の中まで伸びており、且つ中、下端が前記押出チャンバ３０の中まで伸びており、前記バネチャンバ２８の中にはリフトブロック２３がスライドできるように設けられ、前記リフトブロック２３の相対している端面には前記洗浄チャンバ１１の中まで伸びている旋転軸２１が回転できるように設けられ、前記洗浄チャンバ１１の中には前記旋転軸２１に固定的に連結され、且つ前記旋転ラック３７と噛み合えるドライブギヤ２２が設けられ、前記洗浄チャンバ１１の中には前記旋転軸２１のうち互いに近接している一端に固定的に連結される固定板１９が設けられ、左右の前記固定板１９の間には洗浄板２０が設けられる。
【００２５】
前記洗浄装置はまた前記洗浄チャンバ１１の右側に設置される伝動チャンバ２７を含み、前記伝動チャンバ２７の後壁には伝動軸２５が設けられ、前記伝動軸２５には係合プーリ６２が固定的に設けられ、前記伝動軸２５の前端には伝動傘歯車２６が固定的に設けられ、前記伝動チャンバ２７の左壁には左端が前記洗浄チャンバ１１の中まで伸びており、且つ前記洗浄チャンバ１１の左壁と回転できるように係合されるウォーム１６が設けられ、前記伝動チャンバ２７の中には前記ウォーム１６の右端に固定的に連結され、且つ前記伝動傘歯車２６と係合される受動傘歯車２４が設けられ、前記洗浄チャンバ１１の頂壁には第二回転軸１５が左右対称で回転できるように設けられ、前記第二回転軸１５には前記ウォーム１６と噛み合うウォームホイール１４が固定的に設けられ、前記第二回転軸１５の下端にはプルアップ傘歯車１３が固定的に設けられ、前記洗浄チャンバ１１の中には前記洗浄チャンバ１１の頂壁に回転できるように係合され、且つ下へ壁体の中まで伸びているリール軸１８が左右対称で設けられ、前記リール軸１８には引揚リール１７が固定的に設けられ、前記引揚リール１７には下端が前記リフトブロック２３の上端面と固定的に連結される引縄７０が設けられ、前記リール軸１８のうち互いに離れている一端には前記プルアップ傘歯車１３と噛み合う転向傘歯車１２が固定的に設けられる。
【００２６】
前記洗浄装置はまた前記駆動チャンバ６１の後壁に回転できるように設置される受動軸６５を含み、前記受動軸６５の前端が前記第一回転軸３８の後端と固定的に連結され、前記受動軸６５には前記係合プーリ６２と係合される伝動プーリ６０が固定的に設けられる。
【００２７】
有益的には、前記黒板装置は前記黒板箱１０の中に設置され、且つ前記押出チャンバ３０と前記洗浄チャンバ１１との間に位置するスライドチャンバ５０を含み、前記スライドチャンバ５０が前方に開口しており、前記スライドチャンバ５０の中には黒板３２が設けられ、前記黒板３２の後端面と前記スライドチャンバ５０の後壁との間が復帰バネ５１によって固定的に連結され、前記黒板３２の後端面の中には緩和溝６７が設けられ、前記緩和溝６７の中には後端が前記押出チャンバ３０の中まで伸びている牽引レバー５２がスライドできるように設けられ、前記牽引レバー５２と前記緩和溝６７の前壁との間には緩和バネ６８が固定的に設けられ、前記押出チャンバ３０の中には前記牽引レバー５２の後端に固定的に連結される受圧板５３が設けられ、前記バネチャンバ２８のうち相対している壁体の中には経由溝３６が設けられ、前記黒板３２の右端面には右端が右側の前記経由溝３６の中まで伸びている連結レバー６４が固定的に設けられ、右側の前記経由溝３６の中には前記連結レバー６４の上端面に固定的に連結され、且つ上端が右側の前記リフトブロック２３の下端面と当接する固定レバー６３が設けられる。
【００２８】
下記には、付図１〜４及び上記の記載に基づいて本願発明の黒板洗浄装置を詳しく説明する：
【００２９】
初期状態では、前記駆動歯車４４が前記旋転歯車４７と噛合、前記旋転ラック３７が前記ドライブギヤ２２と噛み合っていなく、前記スライドプッシュ板４８が前記緩和チャンバ５４において後側に位置する。
【００３０】
洗浄を始める時、前記モータ５８が起動して回転して前記動力軸４５を通じて前記切換カム４６を駆動して旋転させ、前記動力軸４５が前記駆動歯車４４を駆動して回転させ、前記駆動歯車４４が前記旋転歯車４７を駆動して回転させ、前記旋転歯車４７が回転して前記リードスクリュー５７を前へ運動させ、前記リードスクリュー５７が前記プッシュレバー５５を駆動して前へ運動させ、前記プッシュレバー５５が前記旋転ラック３７を駆動して前へ運動させ、前記旋転ラック３７が前へ運動して前記ドライブギヤ２２と噛み合って前記ドライブギヤ２２を駆動して回転させ、前記ドライブギヤ２２が前記旋転軸２１を駆動して回転させ、これにより前記固定板１９を前へ回転させて前記洗浄板２０を水平状態から鉛直状態になるように運動させて前へ伸び出し、前記洗浄板２０が指定の位置に至った後、前記旋転ラック３７が前記ドライブギヤ２２との係合状態から離脱し、前記プッシュレバー５５が前へ運動して前記受圧板５３と、前記プッシュレバー５２とを通じて前記黒板３２を前へ運動させて前記洗浄板２０の後端面と当接させ、前記黒板３２が前記連結レバー６４を通じて前記固定レバー６３を駆動して前へ運動させて右側の前記リフトブロック２３と離脱させ、前記プッシュレバー５５が継続して前へ運動して前記スライドプッシュ板４８を前へ押し動かし、前記スライドプッシュ板４８が前記緩和チャンバ５４において最前端まで押し動かされた時に前記固定ブロック４９を押し動かして前へ運動させ、前記スライドプッシュ板４８が前記埃受止め箱３４を押し動かして前へ運動させて埃を受け止め、この時前記切換カム４６が回転して前記動力軸４５を駆動して上へ運動させ、これにより前記モータ５８と前記駆動歯車４４とを駆動して上へ運動させ、これにより前記駆動歯車４４と前記回転歯車４３を駆動して噛み合わせ、これにより前記第一回転軸３８と前記受動軸６５を駆動して回転させ、これにより前記伝動プーリ６０を駆動して回転させ、これにより前記係合プーリ６２を駆動して回転させ、これにより前記伝動軸２５を駆動して回転させ、前記伝動軸２５が前記伝動傘歯車２６を駆動して回転させ、前記伝動傘歯車２６が前記受動傘歯車２４を通じて前記ウォーム１６を駆動して回転させ、前記ウォーム１６が前記ウォームホイール１４と、前記第二回転軸１５とを通じて前記プルアップ傘歯車１３を駆動して回転させ、前記プルアップ傘歯車１３が前記転向傘歯車１２を駆動して回転させ、前記転向傘歯車１２が前記引揚リール１７を駆動して回転させ、これにより糸を繰り出し、これにより前記リフトブロック２３が前記引張バネ２９に引かれて下降し、これにより洗浄を完成し、埃を前記埃受止めチャンバ３３の中まで洗浄する。
【００３１】
復帰する時、前記モータ５８が反方向に回転し、前記駆動歯車４４が前記回転歯車４３を駆動して回転させ、前記回転歯車４３が前記第一回転軸３８と前記受動軸６５を駆動して回転させ、前記受動軸６５が前記伝動プーリ６０を駆動して回転させ、前記伝動プーリ６０が前記係合プーリ６２を駆動して回転させ、前記係合プーリ６２が前記伝動軸２５を駆動して回転させ、前記伝動軸２５が前記伝動傘歯車２６を駆動して回転させ、前記伝動傘歯車２６が前記受動傘歯車２４を通じて前記ウォーム１６を駆動して回転させ、前記ウォーム１６が前記ウォームホイール１４と、前記第二回転軸１５とを通じて前記プルアップ傘歯車１３を駆動して回転させ、前記プルアップ傘歯車１３が前記転向傘歯車１２を駆動して回転させ、前記転向傘歯車１２が前記引揚リール１７を駆動して回転させて糸を繰り入れて前記リフトブロック２３を復帰させ、この時前記切換カム４６が再び切り換えて前記駆動歯車４４と前記旋転歯車４７を噛み合わせて前記押出装置を復帰させて前記黒板装置と、前記洗浄装置と、前記埃受止め装置とを復帰させる。
【００３２】
上記のごとく、本装置は機構が簡単で、使用が便利で、黒板に対する自動洗浄を実現でき、洗浄過程の全般が自動化され、洗浄効率を大いに向上させ、洗浄時間を節約し、また、本装置は洗浄後にチョーク粉を収集でき、チョーク粉が空気中に大量に拡散し、使用者に健康に影響を及ぼすことを防止できる。本装置において発生したすべての動作が機械機構により実現され、安定性を高める上にコストも低く、宣伝価値を有する。
【００３３】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
黒板箱と、前記黒板箱の中に設置される押出チャンバを含み、前記押出チャンバの中には黒板装置が設けられ、前記黒板箱の中には洗浄チャンバが設けられ、前記洗浄チャンバの中には洗浄装置が設けられ、前記洗浄装置が洗浄板を含み、前記洗浄チャンバの中には押出装置が設けられ、前記押出装置が前記洗浄装置と係合できる旋転ラックを含み、前記押出チャンバの中には埃受止め装置が設けられ、前記埃受止め装置が前記押出装置と係合され、前記押出装置が前記洗浄装置を旋転させる時に前記埃受止め装置を押し出すことができ、
前記黒板箱の中に設置される駆動チャンバを含み、前記駆動チャンバの中には動力装置が設けられ、前記動力装置の中にはモータが設けられ、前記モータが回転する方向を変更でき、前記動力装置の中には切換カムが設けられ、前記切換カムが旋転すると前記動力装置を移動させて前記動力装置を前記洗浄装置と、前記埃受止め装置と係合している押出装置と、それぞれ係合することができることを特徴とする黒板洗浄装置。
【請求項２】
前記動力装置は前記駆動チャンバの後壁に設置される駆動スライド溝を含み、前記駆動スライド溝の中にはモータがスライドできるように設けられ、前記モータの前端には前端が前記洗浄チャンバの中まで伸びている動力軸が伝動できるように連結され、前記駆動チャンバの中には前記動力軸に固定的に連結される前記切換カムが設けられ、前記洗浄チャンバの中には前記動力軸の前端に固定的に連結される駆動歯車が設けられ、前記駆動チャンバの前壁には前端が前記洗浄チャンバの中に挿入される第一回転軸が回転できるように設けられ、前記洗浄チャンバの中には前記第一回転軸の前端に固定的に連結される回転歯車が設けられることを特徴とする請求項１に記載の黒板洗浄装置。
【請求項３】
前記押出装置は前記押出チャンバの後壁に回転できるように設置される中空第一回転軸を含み、前記中空第一回転軸の前端には前記駆動歯車と噛み合う旋転歯車が固定的に設けられ、前記洗浄チャンバの頂壁には押出スライド溝が設けられ、前記押出スライド溝の中には下端が前記押出チャンバの中まで伸びているプッシュレバーが設けられ、前記旋転歯車の中には前端が前記プッシュレバーの後端面と固定的に連結されるリードスクリューがネジ山によって係合され、前記プッシュレバーの上側の前端には旋転ラックが左右対称のように固定的に設けられ、前記プッシュレバーの下側の右端が前記埃受止め装置の中まで伸びていることを特徴とする請求項１に記載の黒板洗浄装置。
【請求項４】
前記埃受止め装置は前記押出チャンバの底壁にスライドできるように設置される固定ブロックを含み、前記固定ブロックの中には緩和チャンバが設けられ、前記緩和チャンバの中にはスライドプッシュ板がスライドできるように設けられ、前記プッシュレバーの下側の右端が前記緩和チャンバの中まで伸びていて前記スライドプッシュ板の後端面と固定的に連結され、前記固定ブロックの前端面には埃受止め箱がスライドできるように設けられ、前記埃受止め箱の中には上方に開口した埃受止めチャンバが設けられることを特徴とする請求項１に記載の黒板洗浄装置。
【請求項５】
前記洗浄装置は前記黒板箱の中に設置される左右対称のバネチャンバを含み、前記バネチャンバの上端が前記洗浄チャンバの中まで伸びており、且つ中、下端が前記押出チャンバの中まで伸びており、前記バネチャンバの中にはリフトブロックがスライドできるように設けられ、前記リフトブロックの相対している端面には前記洗浄チャンバの中まで伸びている旋転軸が回転できるように設けられ、前記洗浄チャンバの中には前記旋転軸に固定的に連結され、且つ前記旋転ラックと噛み合えるドライブギヤが設けられ、前記洗浄チャンバの中には前記旋転軸のうち互いに近接している一端に固定的に連結される固定板が設けられ、左右の前記固定板の間には洗浄板が設けられ、
前記洗浄装置はまた前記洗浄チャンバの右側に設置される伝動チャンバを含み、前記伝動チャンバの後壁には伝動軸が設けられ、前記伝動軸には係合プーリが固定的に設けられ、前記伝動軸の前端には伝動傘歯車が固定的に設けられ、前記伝動チャンバの左壁には左端が前記洗浄チャンバの中まで伸びており、且つ前記洗浄チャンバの左壁と回転できるように係合されるウォームが設けられ、前記伝動チャンバの中には前記ウォームの右端に固定的に連結され、且つ前記伝動傘歯車と係合される受動傘歯車が設けられ、前記洗浄チャンバの頂壁には第二回転軸が左右対称で回転できるように設けられ、前記第二回転軸には前記ウォームと噛み合うウォームホイールが固定的に設けられ、前記第二回転軸の下端にはプルアップ傘歯車が固定的に設けられ、前記洗浄チャンバの中には前記洗浄チャンバの頂壁に回転できるように係合され、且つ下へ壁体の中まで伸びているリール軸が左右対称で設けられ、前記リール軸には引揚リールが固定的に設けられ、前記引揚リールには下端が前記リフトブロックの上端面と固定的に連結される引縄が設けられ、前記リール軸のうち互いに離れている一端には前記プルアップ傘歯車と噛み合う転向傘歯車が固定的に設けられ、
前記洗浄装置はまた前記駆動チャンバの後壁に回転できるように設置される受動軸を含み、前記受動軸の前端が前記第一回転軸の後端と固定的に連結され、前記受動軸には前記係合プーリと係合される伝動プーリが固定的に設けられ、
前記黒板装置は前記黒板箱の中に設置され、且つ前記押出チャンバと前記洗浄チャンバとの間に位置するスライドチャンバを含み、前記スライドチャンバが前方に開口しており、前記スライドチャンバの中には黒板が設けられ、前記黒板の後端面と前記スライドチャンバの後壁との間が復帰バネによって固定的に連結され、前記黒板の後端面の中には緩和溝が設けられ、前記緩和溝の中には後端が前記押出チャンバの中まで伸びている牽引レバーがスライドできるように設けられ、前記牽引レバーと前記緩和溝の前壁との間には緩和バネが固定的に設けられ、前記押出チャンバの中には前記牽引レバーの後端に固定的に連結される受圧板が設けられ、前記バネチャンバのうち相対している壁体の中には経由溝が設けられ、前記黒板の右端面には右端が右側の前記経由溝の中まで伸びている連結レバーが固定的に設けられ、右側の前記経由溝の中には前記連結レバーの上端面に固定的に連結され、且つ上端が右側の前記リフトブロックの下端面と当接する固定レバーが設けられることを特徴とする請求項１に記載の黒板洗浄装置。 
【手続補正２】
【補正対象書類名】明細書
【補正対象項目名】全文
【補正方法】変更
【補正の内容】
【発明の詳細な説明】
【技術分野】
【０００１】
本発明は機械技術分野に関し、具体的には黒板洗浄装置に関する。
【背景技術】
【０００２】
教育において、黒板が欠けない存在である。黒板は一般には木板又はすりガラスなどから作られたものであり、チョーク等の特定な書き工具でその上に字を書ける。伝統的なチョークの主な成分が炭酸カルシウム（石灰石）と硫酸カルシウム（石膏）、またその他少量の金属及び重金属元素例えばリード、マンガン、バリウム等である。チョークに継ぐ改善型の無塵チョークも、伝統的なチョークに油脂又はポリオール類物質を接着剤として添加し、それから比重の大きな原料を添加し、その比重と体積を上げ、飛びにくくなるようにしたものに過ぎなく、実際応用においては効果が顕著でなく、教学過程では相変わらず大量なチョーク粉が飛び散らし、長時間に渡って空気中に漂い、室内空気を厳重に汚染する。また、黒板の使用が終わった後に、洗浄する必要もあり、その洗浄過程の労働強度がかなり大きく、時間の無駄もあるという欠点に対し、現有技術に対して改善を行う必要がある。
【先行技術文献】
【特許文献】
【０００３】
【特許文献１】中国特許出願公開第１０６６２６９１３号明細書
【発明の概要】
【発明が解決しようとする課題】
【０００４】
本発明の目的は黒板洗浄装置を提供し、既存の技術にある上記の欠陥を補うことにある。
【課題を解決するための手段】
【０００５】
本発明の黒板洗浄装置は、黒板箱と、前記黒板箱の中に設置される押出チャンバを含み、前記押出チャンバの中には黒板装置が設けられ、前記黒板箱の中には洗浄チャンバが設けられ、前記洗浄チャンバの中には洗浄装置が設けられ、前記洗浄装置が洗浄板を含み、前記洗浄チャンバの中には押出装置が設けられ、前記押出装置が前記洗浄装置と係合できる旋転ラックを含み、前記押出チャンバの中には埃受止め装置が設けられ、前記埃受止め装置が前記押出装置と係合され、前記押出装置が前記洗浄装置を旋転させる時に前記埃受止め装置を押し出すことができる。
【０００６】
本発明の黒板洗浄装置は、また前記黒板箱の中に設置される駆動チャンバを含み、前記駆動チャンバの中には動力装置が設けられ、前記動力装置の中にはモータが設けられ、前記モータが回転する方向を変更でき、前記動力装置の中には切換カムが設けられ、前記切換カムが旋転すると前記動力装置を移動させて前記動力装置を前記洗浄装置と、前記埃受止め装置と係合している押出装置と、それぞれ係合することができる。
【０００７】
優先的には、前記動力装置は前記駆動チャンバの後壁に設置される駆動スライド溝を含み、前記駆動スライド溝の中にはモータがスライドできるように設けられ、前記モータの前端には前端が前記洗浄チャンバの中まで伸びている動力軸が伝動できるように連結され、前記駆動チャンバの中には前記動力軸に固定的に連結される前記切換カムが設けられ、前記洗浄チャンバの中には前記動力軸の前端に固定的に連結される駆動歯車が設けられ、前記駆動チャンバの前壁には前端が前記洗浄チャンバの中に挿入される第一回転軸が回転できるように設けられ、前記洗浄チャンバの中には前記第一回転軸の前端に固定的に連結される回転歯車が設けられる。
【０００８】
優先的には、前記押出装置は前記押出チャンバの後壁に回転できるように設置される中空第一回転軸を含み、前記中空第一回転軸の前端には前記駆動歯車と噛み合う旋転歯車が固定的に設けられ、前記洗浄チャンバの頂壁には押出スライド溝が設けられ、前記押出スライド溝の中には下端が前記押出チャンバの中まで伸びているプッシュレバーが設けられ、前記旋転歯車の中には前端が前記プッシュレバーの後端面と固定的に連結されるリードスクリューがネジ山によって係合され、前記プッシュレバーの上側の前端には旋転ラックが左右対称のように固定的に設けられ、前記プッシュレバーの下側の右端が前記埃受止め装置の中まで伸びている。
【０００９】
優先的には、前記埃受止め装置は前記押出チャンバの底壁にスライドできるように設置される固定ブロックを含み、前記固定ブロックの中には緩和チャンバが設けられ、前記緩和チャンバの中にはスライドプッシュ板がスライドできるように設けられ、前記プッシュレバーの下側の右端が前記緩和チャンバの中まで伸びていて前記スライドプッシュ板の後端面と固定的に連結され、前記固定ブロックの前端面には埃受止め箱がスライドできるように設けられ、前記埃受止め箱の中には上方に開口した埃受止めチャンバが設けられる。
【００１０】
前記洗浄装置は前記黒板箱の中に設置される左右対称のバネチャンバを含み、前記バネチャンバの上端が前記洗浄チャンバの中まで伸びており、且つ中、下端が前記押出チャンバの中まで伸びており、前記バネチャンバの中にはリフトブロックがスライドできるように設けられ、前記リフトブロックの相対している端面には前記洗浄チャンバの中まで伸びている旋転軸が回転できるように設けられ、前記洗浄チャンバの中には前記旋転軸に固定的に連結され、且つ前記旋転ラックと噛み合えるドライブギヤが設けられ、前記洗浄チャンバの中には前記旋転軸のうち互いに近接している一端に固定的に連結される固定板が設けられ、左右の前記固定板の間には洗浄板が設けられる。
【００１１】
前記洗浄装置はまた前記洗浄チャンバの右側に設置される伝動チャンバを含み、前記伝動チャンバの後壁には伝動軸が設けられ、前記伝動軸には係合プーリが固定的に設けられ、前記伝動軸の前端には伝動傘歯車が固定的に設けられ、前記伝動チャンバの左壁には左端が前記洗浄チャンバの中まで伸びており、且つ前記洗浄チャンバの左壁と回転できるように係合されるウォームが設けられ、前記伝動チャンバの中には前記ウォームの右端に固定的に連結され、且つ前記伝動傘歯車と係合される受動傘歯車が設けられ、前記洗浄チャンバの頂壁には第二回転軸が左右対称で回転できるように設けられ、前記第二回転軸には前記ウォームと噛み合うウォームホイールが固定的に設けられ、前記第二回転軸の下端にはプルアップ傘歯車が固定的に設けられ、前記洗浄チャンバの中には前記洗浄チャンバの頂壁に回転できるように係合され、且つ下へ壁体の中まで伸びているリール軸が左右対称で設けられ、前記リール軸には引揚リールが固定的に設けられ、前記引揚リールには下端が前記リフトブロックの上端面と固定的に連結される引縄が設けられ、前記リール軸のうち互いに離れている一端には前記プルアップ傘歯車と噛み合う転向傘歯車が固定的に設けられる。
【００１２】
優先的には、前記洗浄装置はまた前記駆動チャンバの後壁に回転できるように設置される受動軸を含み、前記受動軸の前端が前記第一回転軸の後端と固定的に連結され、前記受動軸には前記係合プーリと係合される伝動プーリが固定的に設けられる。
【００１３】
優先的には、前記黒板装置は前記黒板箱の中に設置され、且つ前記押出チャンバと前記洗浄チャンバとの間に位置するスライドチャンバを含み、前記スライドチャンバが前方に開口しており、前記スライドチャンバの中には黒板が設けられ、前記黒板の後端面と前記スライドチャンバの後壁との間が復帰バネによって固定的に連結され、前記黒板の後端面の中には緩和溝が設けられ、前記緩和溝の中には後端が前記押出チャンバの中まで伸びている牽引レバーがスライドできるように設けられ、前記牽引レバーと前記緩和溝の前壁との間には緩和バネが固定的に設けられ、前記押出チャンバの中には前記牽引レバーの後端に固定的に連結される受圧板が設けられ、前記バネチャンバのうち相対している壁体の中には経由溝が設けられ、前記黒板の右端面には右端が右側の前記経由溝の中まで伸びている連結レバーが固定的に設けられ、右側の前記経由溝の中には前記連結レバーの上端面に固定的に連結され、且つ上端が右側の前記リフトブロックの下端面と当接する固定レバーが設けられる。
【発明の効果】
【００１４】
本装置は機構が簡単で、使用が便利で、黒板に対する自動洗浄を実現でき、洗浄過程の全般が自動化され、洗浄効率を大いに向上させ、洗浄時間を節約し、また、本装置は洗浄後にチョーク粉を収集でき、チョーク粉が空気中に大量に拡散し、使用者に健康に影響を及ぼすことを防止できる。本装置において発生したすべての動作が機械機構により実現され、安定性を高める上にコストも低く、宣伝価値を有する。
【図面の簡単な説明】
【００１５】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１６】
【図１】図１は本発明の黒板洗浄装置の全体構造概略図である。
【図２】図２は図１のＡ−Ａの構造概略図である。
【図３】図３は図１のＢ−Ｂの構造概略図である。
【図４】図２は図１のＣ−Ｃの構造概略図である。
【発明を実施するための形態】
【００１７】
本発明書に開示した全ての特徴、或いは開示した全ての方法、過程中のステップは、互いに排斥する特徴或いはステップ以外に、いかなる方式で組み合わせることができる。
【００１８】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１９】
図１〜４が示すように、本発明の黒板洗浄装置は、黒板箱１０と、前記黒板箱１０の中に設置される押出チャンバ３０を含み、前記押出チャンバ３０の中には黒板装置が設けられ、前記黒板箱１０の中には洗浄チャンバ１１が設けられ、前記洗浄チャンバ１１の中には洗浄装置が設けられ、前記洗浄装置が洗浄板２０を含み、前記洗浄チャンバ１１の中には押出装置が設けられ、前記押出装置が前記洗浄装置と係合できる旋転ラック３７を含み、前記押出チャンバ３０の中には埃受止め装置が設けられ、前記埃受止め装置が前記押出装置と係合され、前記押出装置が前記洗浄装置を旋転させる時に前記埃受止め装置を押し出すことができる。
【００２０】
本発明の黒板洗浄装置は、また前記黒板箱１０の中に設置される駆動チャンバ６１を含み、前記駆動チャンバ６１の中には動力装置が設けられ、前記動力装置の中にはモータ５８が設けられ、前記モータ５８が回転する方向を変更でき、前記動力装置の中には切換カム４６が設けられ、前記切換カム４６が旋転すると前記動力装置を移動させて前記動力装置を前記洗浄装置と、前記埃受止め装置と係合している押出装置と、それぞれ係合することができる。
【００２１】
有益的には、前記動力装置は前記駆動チャンバ６１の後壁に設置される駆動スライド溝５９を含み、前記駆動スライド溝５９の中にはモータ５８がスライドできるように設けられ、前記モータ５８の前端には前端が前記洗浄チャンバ１１の中まで伸びている動力軸４５が伝動できるように連結され、前記駆動チャンバ６１の中には前記動力軸４５に固定的に連結される前記切換カム４６が設けられ、前記洗浄チャンバ１１の中には前記動力軸４５の前端に固定的に連結される駆動歯車４４が設けられ、前記駆動チャンバ６１の前壁には前端が前記洗浄チャンバ１１の中に挿入される第一回転軸３８が回転できるように設けられ、前記洗浄チャンバ１１の中には前記第一回転軸３８の前端に固定的に連結される回転歯車４３が設けられる。
【００２２】
有益的には、前記押出装置は前記押出チャンバ３０の後壁に回転できるように設置される中空第一回転軸５６を含み、前記中空第一回転軸５６の前端には前記駆動歯車４４と噛み合う旋転歯車４７が固定的に設けられ、前記洗浄チャンバ１１の頂壁には押出スライド溝４２が設けられ、前記押出スライド溝４２の中には下端が前記押出チャンバ３０の中まで伸びているプッシュレバー５５が設けられ、前記旋転歯車４７の中には前端が前記プッシュレバー５５の後端面と固定的に連結されるリードスクリュー５７がネジ山によって係合され、前記プッシュレバー５５の上側の前端には旋転ラック３７が左右対称のように固定的に設けられ、前記プッシュレバー５５の下側の右端が前記埃受止め装置の中まで伸びている。
【００２３】
有益的には、前記埃受止め装置は前記押出チャンバ３０の底壁にスライドできるように設置される固定ブロック４９を含み、前記固定ブロック４９の中には緩和チャンバ５４が設けられ、前記緩和チャンバ５４の中にはスライドプッシュ板４８がスライドできるように設けられ、前記プッシュレバー５５の下側の右端が前記緩和チャンバ５４の中まで伸びていて前記スライドプッシュ板４８の後端面と固定的に連結され、前記固定ブロック４９の前端面には埃受止め箱３４がスライドできるように設けられ、前記埃受止め箱３４の中には上方に開口した埃受止めチャンバ３３が設けられる。
【００２４】
有益的には、前記洗浄装置は前記黒板箱１０の中に設置される左右対称のバネチャンバ２８を含み、前記バネチャンバ２８の上端が前記洗浄チャンバ１１の中まで伸びており、且つ中、下端が前記押出チャンバ３０の中まで伸びており、前記バネチャンバ２８の中にはリフトブロック２３がスライドできるように設けられ、前記リフトブロック２３の相対している端面には前記洗浄チャンバ１１の中まで伸びている旋転軸２１が回転できるように設けられ、前記洗浄チャンバ１１の中には前記旋転軸２１に固定的に連結され、且つ前記旋転ラック３７と噛み合えるドライブギヤ２２が設けられ、前記洗浄チャンバ１１の中には前記旋転軸２１のうち互いに近接している一端に固定的に連結される固定板１９が設けられ、左右の前記固定板１９の間には洗浄板２０が設けられる。
【００２５】
前記洗浄装置はまた前記洗浄チャンバ１１の右側に設置される伝動チャンバ２７を含み、前記伝動チャンバ２７の後壁には伝動軸２５が設けられ、前記伝動軸２５には係合プーリ６２が固定的に設けられ、前記伝動軸２５の前端には伝動傘歯車２６が固定的に設けられ、前記伝動チャンバ２７の左壁には左端が前記洗浄チャンバ１１の中まで伸びており、且つ前記洗浄チャンバ１１の左壁と回転できるように係合されるウォーム１６が設けられ、前記伝動チャンバ２７の中には前記ウォーム１６の右端に固定的に連結され、且つ前記伝動傘歯車２６と係合される受動傘歯車２４が設けられ、前記洗浄チャンバ１１の頂壁には第二回転軸１５が左右対称で回転できるように設けられ、前記第二回転軸１５には前記ウォーム１６と噛み合うウォームホイール１４が固定的に設けられ、前記第二回転軸１５の下端にはプルアップ傘歯車１３が固定的に設けられ、前記洗浄チャンバ１１の中には前記洗浄チャンバ１１の頂壁に回転できるように係合され、且つ下へ壁体の中まで伸びているリール軸１８が左右対称で設けられ、前記リール軸１８には引揚リール１７が固定的に設けられ、前記引揚リール１７には下端が前記リフトブロック２３の上端面と固定的に連結される引縄７０が設けられ、前記リール軸１８のうち互いに離れている一端には前記プルアップ傘歯車１３と噛み合う転向傘歯車１２が固定的に設けられる。
【００２６】
前記洗浄装置はまた前記駆動チャンバ６１の後壁に回転できるように設置される受動軸６５を含み、前記受動軸６５の前端が前記第一回転軸３８の後端と固定的に連結され、前記受動軸６５には前記係合プーリ６２と係合される伝動プーリ６０が固定的に設けられる。
【００２７】
有益的には、前記黒板装置は前記黒板箱１０の中に設置され、且つ前記押出チャンバ３０と前記洗浄チャンバ１１との間に位置するスライドチャンバ５０を含み、前記スライドチャンバ５０が前方に開口しており、前記スライドチャンバ５０の中には黒板３２が設けられ、前記黒板３２の後端面と前記スライドチャンバ５０の後壁との間が復帰バネ５１によって固定的に連結され、前記黒板３２の後端面の中には緩和溝６７が設けられ、前記緩和溝６７の中には後端が前記押出チャンバ３０の中まで伸びている牽引レバー５２がスライドできるように設けられ、前記牽引レバー５２と前記緩和溝６７の前壁との間には緩和バネ６８が固定的に設けられ、前記押出チャンバ３０の中には前記牽引レバー５２の後端に固定的に連結される受圧板５３が設けられ、前記バネチャンバ２８のうち相対している壁体の中には経由溝３６が設けられ、前記黒板３２の右端面には右端が右側の前記経由溝３６の中まで伸びている連結レバー６４が固定的に設けられ、右側の前記経由溝３６の中には前記連結レバー６４の上端面に固定的に連結され、且つ上端が右側の前記リフトブロック２３の下端面と当接する固定レバー６３が設けられる。
【００２８】
下記には、付図１〜４及び上記の記載に基づいて本願発明の黒板洗浄装置を詳しく説明する：
【００２９】
初期状態では、前記駆動歯車４４が前記旋転歯車４７と噛合、前記旋転ラック３７が前記ドライブギヤ２２と噛み合っていなく、前記スライドプッシュ板４８が前記緩和チャンバ５４において後側に位置する。
【００３０】
洗浄を始める時、前記モータ５８が起動して回転して前記動力軸４５を通じて前記切換カム４６を駆動して旋転させ、前記動力軸４５が前記駆動歯車４４を駆動して回転させ、前記駆動歯車４４が前記旋転歯車４７を駆動して回転させ、前記旋転歯車４７が回転して前記リードスクリュー５７を前へ運動させ、前記リードスクリュー５７が前記プッシュレバー５５を駆動して前へ運動させ、前記プッシュレバー５５が前記旋転ラック３７を駆動して前へ運動させ、前記旋転ラック３７が前へ運動して前記ドライブギヤ２２と噛み合って前記ドライブギヤ２２を駆動して回転させ、前記ドライブギヤ２２が前記旋転軸２１を駆動して回転させ、これにより前記固定板１９を前へ回転させて前記洗浄板２０を水平状態から鉛直状態になるように運動させて前へ伸び出し、前記洗浄板２０が指定の位置に至った後、前記旋転ラック３７が前記ドライブギヤ２２との係合状態から離脱し、前記プッシュレバー５５が前へ運動して前記受圧板５３と、前記プッシュレバー５２とを通じて前記黒板３２を前へ運動させて前記洗浄板２０の後端面と当接させ、前記黒板３２が前記連結レバー６４を通じて前記固定レバー６３を駆動して前へ運動させて右側の前記リフトブロック２３と離脱させ、前記プッシュレバー５５が継続して前へ運動して前記スライドプッシュ板４８を前へ押し動かし、前記スライドプッシュ板４８が前記緩和チャンバ５４において最前端まで押し動かされた時に前記固定ブロック４９を押し動かして前へ運動させ、前記スライドプッシュ板４８が前記埃受止め箱３４を押し動かして前へ運動させて埃を受け止め、この時前記切換カム４６が回転して前記動力軸４５を駆動して上へ運動させ、これにより前記モータ５８と前記駆動歯車４４とを駆動して上へ運動させ、これにより前記駆動歯車４４と前記回転歯車４３を駆動して噛み合わせ、これにより前記第一回転軸３８と前記受動軸６５を駆動して回転させ、これにより前記伝動プーリ６０を駆動して回転させ、これにより前記係合プーリ６２を駆動して回転させ、これにより前記伝動軸２５を駆動して回転させ、前記伝動軸２５が前記伝動傘歯車２６を駆動して回転させ、前記伝動傘歯車２６が前記受動傘歯車２４を通じて前記ウォーム１６を駆動して回転させ、前記ウォーム１６が前記ウォームホイール１４と、前記第二回転軸１５とを通じて前記プルアップ傘歯車１３を駆動して回転させ、前記プルアップ傘歯車１３が前記転向傘歯車１２を駆動して回転させ、前記転向傘歯車１２が前記引揚リール１７を駆動して回転させ、これにより糸を繰り出し、これにより前記リフトブロック２３が前記引張バネ２９に引かれて下降し、これにより洗浄を完成し、埃を前記埃受止めチャンバ３３の中まで洗浄する。
【００３１】
復帰する時、前記モータ５８が反方向に回転し、前記駆動歯車４４が前記回転歯車４３を駆動して回転させ、前記回転歯車４３が前記第一回転軸３８と前記受動軸６５を駆動して回転させ、前記受動軸６５が前記伝動プーリ６０を駆動して回転させ、前記伝動プーリ６０が前記係合プーリ６２を駆動して回転させ、前記係合プーリ６２が前記伝動軸２５を駆動して回転させ、前記伝動軸２５が前記伝動傘歯車２６を駆動して回転させ、前記伝動傘歯車２６が前記受動傘歯車２４を通じて前記ウォーム１６を駆動して回転させ、前記ウォーム１６が前記ウォームホイール１４と、前記第二回転軸１５とを通じて前記プルアップ傘歯車１３を駆動して回転させ、前記プルアップ傘歯車１３が前記転向傘歯車１２を駆動して回転させ、前記転向傘歯車１２が前記引揚リール１７を駆動して回転させて糸を繰り入れて前記リフトブロック２３を復帰させ、この時前記切換カム４６が再び切り換えて前記駆動歯車４４と前記旋転歯車４７を噛み合わせて前記押出装置を復帰させて前記黒板装置と、前記洗浄装置と、前記埃受止め装置とを復帰させる。
【００３２】
上記のごとく、本装置は機構が簡単で、使用が便利で、黒板に対する自動洗浄を実現でき、洗浄過程の全般が自動化され、洗浄効率を大いに向上させ、洗浄時間を節約し、また、本装置は洗浄後にチョーク粉を収集でき、チョーク粉が空気中に大量に拡散し、使用者に健康に影響を及ぼすことを防止できる。本装置において発生したすべての動作が機械機構により実現され、安定性を高める上にコストも低く、宣伝価値を有する。
【００３３】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。